(57)【特許請求の範囲】
【請求項１】
無数の連続気孔を有する多孔性の印字体を備えた印判主体と、この印判主体の先方部分に嵌装されて常時は弾発部材の弾発力により印字体の印面より先に先端が位置する脚枠体と、この脚枠体内に設けられて常時は印字体を隠蔽するように先端同士を接触させているが押印操作に伴う印判主体の下降に連動して捺印可能な状態に開かれる一対の遮蔽板よりなるシャッター部材と、前記脚枠体の下端縁で係止する外鍔を中間部に形成した上筒と当該上筒の下端縁で係止する内鍔を略上方に形成した下筒を嵌合してなる取付筒体と、からなる印判であって、前記脚枠体には前記シャッター部材を内部に取付けた前記取付筒体が着脱自在に連結されている印判において、
前記遮蔽板は、前記遮蔽板の中央に設けた基板部の両側に折曲部を介して側板部を印面側へ折曲げて起立させ、かつ、互い違いに重ね合わせられて印面を遮蔽するよう位相を異ならせた前記係合突片と前記係合受縁とよりなる凹凸端縁を有する左右一対の略半円形よりなり、かつ、断面形状が前記下筒の内周面に沿うよう略円周の一部を形成するように成型され、
更に、前記凹凸端縁を互い違いに重ね合わせて凹凸端縁同士を係合させた係止組部としてロック状態に保持されるようにしたことを特徴とする印判。
【発明の詳細な説明】
【技術分野】
【０００１】
本発明は無数の連続気孔を有する多孔性の印字体を備えた印判に関するものである。
【背景技術】
【０００２】
無数の連続気孔を有する多孔性の印字体を備えた印判主体と、この印判主体の先方部分に嵌装されて常時は弾発部材の弾発力により印字体の印面より先に先端が位置する脚枠体と、この脚枠体内に設けられて常時は印字体を隠蔽するように先端同士を接触させているが押印操作に伴う印判主体の下降に連動して捺印可能な状態に開かれる一対の遮蔽板よりなるシャッター部材とからなる印判は既に知られている（例えば、特許文献１、２参照）。
ところがこのような従来の印判では、シャッター部材が一対の遮蔽板の先端同士を突き合わせて遮蔽を行っているため、引き出しのペン入れや携行用の筆箱等にシャープペンシルやボールペン、鉛筆あるいは千枚通し等と一緒に印判を保管した場合、引出しの開閉操作や携行時の振動等により、印判の捺印開口よりシャープペンシルやボールペン、鉛筆あるいは千枚通し等の文具類が侵入すると、突合せ縁より容易に挿し込まれて開放され、インキの蒸発が促進されて捺印不良を起こしやすくなるという問題があり、また、文具類が印面に接触してインキにより汚損されるという問題があった。
このような問題を解決するため、本願出願人は、先に特開２００６−２０５４４０号により、印字体の印面を隠蔽しているシャッターとして、一方の遮蔽板の係合突片が他方の遮蔽板の係合受縁に係合するとともに他方の遮蔽板の係合受縁に係合突片が係合した係止組部として両遮蔽板の先端縁同士がロック状態に保持される印判を提案した。
しかしこの印判では、シャッター部材が強く押圧され印面側へ押し込まれると、遮蔽板自体がもともと変形可能な平板で設計されていることから、外圧に耐え切れず印面側へ向かって折れ曲がり、遮蔽板に印面が接触してインキで汚損されたり、折れ曲がることで前記ロック状態が解除され、インキの蒸発が促進されて捺印不良を起こしやすくなるという問題があり、また、同じ場所に収納されている文具類が印面に接触してインキにより汚損されるという問題があった。さらに、前記ロック状態が解除された部分から、先の尖った文具類が挿し込まれると印面が損傷され印影の欠損を生じるという問題があった。この問題は、シャッター部材がより強く押圧されても押し込まれることを防ぐようにする下尖状の補助突起が必要に応じて設けられている（特許文献３段落番号００１１に記載）ことからも明らかである。
また、シャッターの開閉を約十万回繰り返すと反りが発生して前記ロック状態に緩みが生じることで、従来と同様、インキの蒸発が促進されて捺印不良を起こしやすくなるという問題や、ロック状態の緩んだ部分から文具類が侵入し印面に接触してインキにより汚損されるという問題があった。また、遮蔽板が平板でなく曲面で設計されている場合であっても、軽量化を図るため薄くしていくと剛性が低下し、前記のように外側から強く押圧され印面側へ押し込まれると、外圧に耐え切れず印面側へ向かって折れ曲がる可能性があった。
【発明の開示】
【発明が解決しようとする課題】
【０００３】
本発明は、前記のような問題点を解決し、遮蔽板の剛性が向上した印判を提供するものである。遮蔽板を薄く設計しても外側からの力に対して剛性を維持し、また約十万回シャッターの開閉を繰り返しても反りが生じないものである。これにより、押印操作時以外はシャッターが開かれることがなくなり、開口より侵入した文具類により印字体が損傷されたり、入り込んだ文具類が印面に触れてインキにより汚損されたりすることのない印判を提供することを目的とするものである。
【課題を解決するための手段】
【０００４】
無数の連続気孔を有する多孔性の印字体を備えた印判主体と、この印判主体の先方部分に嵌装されて常時は弾発部材の弾発力により印字体の印面より先に先端が位置する脚枠体と、この脚枠体内に設けられて常時は印字体を隠蔽するように先端同士を接触させているが押印操作に伴う印判主体の下降に連動して捺印可能な状態に開かれる一対の遮蔽板よりなるシャッター部材と、前記脚枠体の下端縁で係止する外鍔を中間部に形成した上筒と当該上筒の下端縁で係止する内鍔を略上方に形成した下筒を嵌合してなる取付筒体と、からなる印判であって、前記脚枠体には前記シャッター部材を内部に取付けた前記取付筒体が着脱自在に連結されている印判において、
前記遮蔽板は、前記遮蔽板の中央に設けた基板部の両側に折曲部を介して側板部を印面側へ折曲げて起立させ、かつ、互い違いに重ね合わせられて印面を遮蔽するよう位相を異ならせた前記係合突片と前記係合受縁とよりなる凹凸端縁を有する左右一対の略半円形よりなり、かつ、断面形状が前記下筒の内周面に沿うよう略円周の一部を形成するように成型され、
更に、前記凹凸端縁を互い違いに重ね合わせて凹凸端縁同士を係合させた係止組部としてロック状態に保持されるようにしたことを特徴とする印判。
【発明の効果】
【０００５】
このような印判は、押印操作時以外である常時は印字体の印面がシャッターによって隠蔽されていることは従来のこの種の印判と同様であるが、本発明におけるシャッターは、印字体の印面を隠蔽しているシャッターを構成する遮蔽板の両側に折曲部を介して側板部を折曲起立させているため、外圧に対する剛性が向上している。ここで向上とは、同材質で同じ厚みの場合と比較して、外側からの力によって折れ曲がることに抵抗する程度がより強くなっていることを意味しており、軽量化を図るため遮蔽板を薄くしていく場合、折曲部を介して側板部を折曲起立させているものは、同じ厚さでも剛性が強い。よって、シャッター部材が強く印面側へ押圧されても、外圧に耐え切れず印面側へ向かって折れ曲がることはなく、遮蔽板に印面が接触してインキで汚損したり、折れ曲がることで前記ロック状態が解除され、インキの蒸発が促進されて捺印不良を起こしやすくなるという問題が生じない。また、押印操作時以外はシャッターが開かれることがないため、開口より侵入した文具類によって印字体が損傷されたり、入り込んだ文具類が印面に触れてインキにより汚損されたりすることがない。また、シャッターの開閉を約十万回繰り返しても反りが発生することがないため前記ロック状態に緩みが生じることがなく、インキの蒸発が促進されて捺印不良を起こしやすくなるという問題や、ロック状態の緩んだ場所から文具類が侵入し印面に接触してインキにより汚損されるという問題も生じない。
【発明を実施するための最良の形態】
【０００６】
次に、本発明の好ましい実施の形態を図に基づいて詳細に説明する。
脚枠体１は、上下端面が開口したプラスチック製の中空円柱状で、下端には後述する取付筒体２を着脱自在に取付けたものである。前記脚枠体１の上端部には内側に向かうリング状のフランジ部１１が延設されており、脚枠体１の下方内周面には、係止リブ１２が複数個設けられている。
【０００７】
内装体３は、前記脚枠体１内に昇降可能に挿設されている。内装体３は、上下端面が開口したプラスチック製の中空体で、所定径を持つ円柱状の大径部３１と、該大径部３１よりも小径で円柱状の小径部３２とを備えた段付形状を有している。前記小径部３２の外径は、前記フランジ部１１の内径と略同寸法とする。内装体３は、脚枠体１の内側において、前記大径部３１と小径部３２との連結面上に形成された段部３３が脚枠体１の係止リブ１２に当接する位置で止まり、それ以上上方へは移動できない。前記大径部３１内には、印判主体５を着脱自在に嵌着し、また、内装体３の内壁面には、後述する外枠体４と嵌合する係止爪３４を設けてある。
【０００８】
印判主体５は、連続気孔を有する多孔質ゴムよりなる印字体５１を主筒部５２の下方で受金５３により保持してなり、下端には印字体５１の印面が露呈している。この印判主体５は、印面を下向きにして、主筒部５２の上端周縁に設けた鍔部５４と、前記内装体３の大径部３１内に設けた嵌合リブとが圧入嵌合することにより、着脱自在に取付けられる。
【０００９】
外枠体４は、下端が開口した外側円筒４１の内側に、天面から下方に向かって前記外側円筒４１と同軸の内側円筒４２を垂下させた、プラスチック製の２重円筒体であり一体成型される。前記内側円筒４２の外径寸法は、前記内装体３の小径部３２の内径寸法と略同一であり、前記内側円筒４２の下方外周面には、前記内装体３の係止爪３４と対向する位置に嵌合凹部４３を設ける。この外枠体４の組付けは、内装体３を内部に収納した脚枠体１のフランジ部１１上端面に弾発部材６を配設した状態で、前記内側円筒４２の下端を、前記弾発部材６および、脚枠体１の上端開口より突出した小径部３２の上端開口に挿通し、前記内装体３の内壁面に設けた係止爪３４を、前記嵌合凹部４３に嵌合させることにより、前記外枠体４を内装体３に冠着する。これにより、外枠体４は脚枠体１の上部外周を覆った状態で内装体３と連結一体化され協動するものであり、前記弾発部材６は、外枠体４の天面下端と脚枠体１のフランジ部１１上端面との間に挟着されているため、弾発部材６の働きにより、内装体３は外枠体４と共に、脚枠体１に対して常時上方へ付勢されている。ここで協動とは、２つのものが一緒に動くことを意味し、また、本実施の形態では弾発部材６としてコイルスプリングを使用している。
【００１０】
前記脚枠体１には、常時は印字体５１を隠蔽するように先端同士を接触させているが、押印操作に伴う内装体３の下降に連動して捺印可能な状態に開かれる左右一対の遮蔽板７１、７１よりなるシャッター部材７を内部に取付けた取付筒体２が着脱自在に連結されている。この取付筒体２は、脚枠体１の下端縁で係止する外鍔２１ａを中間部に形成した上筒２１と、前記上筒２１の下端縁で係止する内鍔２２ａを略上方に形成した下筒２２を嵌合してなる。遮蔽板７１は、下筒２２に設けたポケット部２３に取付片７１ｇを挿入し、上筒２１の下端であって前記ポケット部２３と対向する位置に設けた切り欠き２４で、前記取付片７１ｇを抜け止め状にして、上筒２１と下筒２２の間に挟着して取付けられる。図示例では、上筒２１と下筒２２間に形成したポケット部２３に取付片７１ｇを挿入して取付けられるものとしているが、このような二重筒とせずに単筒の内側に取付片７１ｇを取付けできるようにしてもよい。なお、印判主体５を交換する際には、脚枠体１から取付筒体２を取り外すことにより行われるものとしてある。
【００１１】
シャッター部材７は、互い違いに重ね合わせられて印面を遮蔽する第１の実施形態と、一対の遮蔽板の先端同士を突き合わせて遮蔽を行う第２の実施形態とあるが、まず第１の実施形態から説明する。
第１の実施形態のシャッター部材７は、互い違いに重ね合わせられて印面を遮蔽するよう、位相を異ならせた係合突片７１ａと係合受縁７１ｂとよりなる凹凸端縁を有する左右一対の略半円形の遮蔽板７１よりなるものとしている。遮蔽板７１の係合突片７１ａと係合受縁７１ｂを１箇所だけで係止組部７２が組まれるものとし、先尖りの文具類が侵入しやすい部位を一つとして先尖りの文具類が侵入する可能性を低減させるとともに、形状を簡単なものとして安価な成形型やプレス型により製造するようにして製品コストを低減させるという作用効果を有する。また、基部にはヒンジ部７１ｆを介して取付片７１ｇを形成してある。なお、遮蔽板７１としては、繰返し行われる開閉動作に対して十分な耐久性が得られるものであれば材質を限定するものではないが、実施例では、ポリプロピレン樹脂などの強靱な合成樹脂材よりなるものとしてある。
また、左右の遮蔽板７１は、位相を異ならせた係合突片７１ａと係合受縁７１ｂとよりなる凹凸端縁を互い違いに重ね合わせて係合させた際、その交差係合して係止組部７２が組まれるものとしており、このように左右の遮蔽板７１、７１の係止組部７２によって遮蔽板７１の折り畳み方向に作用する弾発力が受け止められ、両遮蔽板７１は係合ロックされて印面との間に引張力や押圧力に強い強固な空間を形成している。
また、前記遮蔽板７１の中央に設けた基板部７１ｃの両側には、折曲部７１ｅを介して側板部７１ｄを印面側へ折曲げて起立させている。本実施例では、折曲部７１ｅを、基板部７１ｃを挟んで左右対称に二本形成したため、遮蔽板７１の断面形状が前記下筒２２の内周面に沿うよう、略円周の一部を形成するように成型される（図８参照）。このように、遮蔽板７１の断面形状を円形に近づけると、押印操作に伴う印判主体が下降する際邪魔にならず、前記印判主体５の外周を下筒２２の内周に最大限近づけることができ、無駄なく効率がよい。但し、特にこれに限定されるものではなく、前記折曲部７１ｅの本数は、単数でも複数でもよく、その数に制限はない。
前記した遮蔽板７１、７１は、押印操作時に下降する印判主体５の受金５３に当接することにより連動し弾発力に抗して自動的に押し開かれるようになっている。さらに、遮蔽板７１の係合突片７１ａはその突縁を角部のない円弧状としてあり、このように円弧状とすることにより他方の遮蔽板７１に重なり合っていく際、係合が円滑に行われて遮蔽不良が生じることがないようにしてある。
また、内装体３と外枠体４とは、脚枠体１の係止リブ１２に先端を当接させるとともに、後端を外枠体４の内側上端に当接させたコイルスプリングなどの弾発部材６により付勢され、印判主体５を上昇させて、脚枠体１内に収納されるようにするとともに、シャッター部材７が印判主体５の受金５３に押されて開放されることがないようにしてあり、このようにすることによってシャッター部材７はその弾発力により左右の遮蔽板７１、７１を係合ロックして印面を強固に遮蔽するので、他物が侵入しても遮蔽板７１は不用意に開放されることがなく、印面を的確に保護するとともに印面に他物が触れて汚損させることがない。捺印操作時には、取付筒体２の下端縁を紙面に当接させたうえ、外枠体４を押圧して弾性部材６の付勢力に抗して印判主体５を下降させれば、下降する印判主体５の受金５３により取付筒体２に取り付けられている左右の遮蔽板７１、７１の基部は押圧されるのでシャッター部材７は開放され、印字体５１は紙面に接触して捺印が行われることとなる。
【００１２】
このように構成された印判は、印字体５１を捺印する場合、図１に示すように、取付筒体２の下端縁を紙面に当接させたうえ、外枠体４と協動する内装体３を弾発部材６の弾発力に抗して押圧して押し下げると、前記印判主体５の受金５３でシャッター部材７を開放し、印字体５１が取付筒体２の下端開口より露呈して捺印することができる図２に示す位置へ到達する。そして、捺印が完了して外枠体４への押圧を解くと、前記下降時と反対の工程を経て、外枠体４と協動する内装体３が脚枠体１内を上昇し、シャッター部材７が閉じた位置まで戻る。
取付筒体２内に設けられて常時は印字体５１を隠蔽しているが捺印操作に伴う内装体３の下降に連動して捺印可能な状態に開かれるシャッター部材７として、一方の遮蔽板７１の先端を適当数の係合突片７１ａとその基部幅以上の幅の係合受縁７１ｂとよりなる凹凸端縁とするとともに、他方の遮蔽板７１の先端を前記した一方の遮蔽板７１の係合突片７１ａ、係合受縁７１ｂに対応して位相を異ならせた係合受縁７１ｂ、係合突片７１ａとよりなる凹凸端縁に形成してあるものが用いられていて、常時はシャッター部材７の先端の凹凸端縁同士が係合された係止組部７２でロック状態に保持されるようにしてあるので、印字体５１の印面が常時はシャッター７によって隠蔽され、このため、印面により周囲が汚されたり、印面が乾燥することがないことは勿論のこと、シャープペンシルやボールペン、千枚通し等の先尖りの文具類が捺印開口より侵入して両遮蔽板７１、７１の接触部分である係止組部７２を突いても、左右の遮蔽板７１、７１が互い違いに重ね合わせていることにより、接触部分から開かれることがなく、従って、文具類が突合せ面から挿し込まれて印面を損傷させることがないように的確に印面が保護されることとなる。
また、各遮蔽板７１、７１の凹凸端縁が互いに弾発圧接されるので、シール性が高く、インキなどの蒸発はより確実に防止できる。さらに、遮蔽板７１、７１の係合突片７１ａ、７１ａの形状は特に限定されるものではないが、これらの突縁を円弧状としたものは、押印操作に連動して遮蔽板が７１、７１が閉じられて係止組部７２が形成される際、互いの遮蔽板７１、７１の係合突片７１ａ、７１ａの先端突縁がその円弧に倣って係合受縁７１ｂ、７１ｂに円滑に介入するので、角部が引っかかって遮蔽が不完全となることがなくて特に好ましい。
【００１３】
さらに、遮蔽板の両側に折曲部７１ｅを介して側板部７１ｄを折曲起立させているため、外圧に対する剛性が側板部７１ｄを折曲起立させていないものより向上する。このため、シャッター部材７が強く印面側へ押圧されても、外圧に耐え切れず印面側へ向かって折れ曲がることはなく、遮蔽板７１に印面が接触してインキで汚損されたり、折れ曲がることで前記ロック状態が解除され、インキの蒸発が促進されて捺印不良を起こしやすくなるという問題が生じない。また、押印操作時以外はシャッターが開かれることはないため、開口より侵入した文具類によって印字体が損傷されたり、入り込んだ文具類が印面に触れてインキにより汚損されたりすることがない。
これにより、押印操作時以外、シャッターが開かれる可能性を極力排除した印判を提供することができる。
【００１４】
次に、第２の実施形態のシャッター部材７について説明するが、ここでは、前記した第１の実施形態と異なる点のみを説明する。
第２の実施形態のシャッター部材７は、双方の遮蔽板の先端縁に凹凸がなく、一対の遮蔽板の先端同士を突き合わせて遮蔽を行う点以外は、第１の実施形態のシャッター部材と同様である。本実施形態は図示しないが、遮蔽板の両側に折曲部を介して側板部を折曲起立させたことを除けば、先端縁の構成は前記特許文献２の図１と略同様である。
このように構成された印判は、遮蔽板の両側に折曲部を介して側板部を折曲起立させているため、外圧に対する剛性が側板部を折曲起立させていないものより向上する。このため、シャッター部材７が強く印面側へ押圧されても、外圧に耐え切れず印面側へ向かって折れ曲がることはなく、遮蔽板７１に印面が接触してインキで汚損されたり、折れ曲がることで前記突き合わせが外れるような問題が生じない。また、遮蔽板が曲面で設計されているような前記特許文献２の場合と比較して、外側から強く押圧されるような外圧に対して、剛性は大きく向上している。
【００１５】
尚、本発明を前記実施例により説明したが、本発明は前記実施形態に限定されるものではなく、本発明の要旨を逸脱しない範囲内で種々の改良、変形が可能であることは勿論である。
【図面の簡単な説明】
【００１６】
【図１】本発明の好ましい実施の形態を示す断面図
【図２】押印状態を示す断面図
【図３】本発明取付筒体を示す図
【図４】遮蔽板を示す斜視図
【図５】遮蔽板を示す正面図
【図６】遮蔽板を示す左側面図
【図７】遮蔽板を示す底面図
【図８】Ａ−Ａ線断面図
【図９】シャッター部材を示す正面図
【図１０】シャッター部材を示す底面図
【符号の説明】
【００１７】
１  脚枠体
１１  フランジ部
１２  係止リブ
２  取付筒体
２１  上筒
２２  下筒
２３  ポケット部
２４  切り欠き
３  内装体
３１  大径部
３２  小径部
３３  段部
３４  係止爪
４  外枠体
４１  外側円筒
４２  内側円筒
４３  嵌合凹部
５  印判主体
５１  印字体
５２  主筒部
５３  受金
５４  鍔部
６  弾発部材
７  シャッター部材
７１  遮蔽板
７１ａ  係合突片
７１ｂ  係合受縁
７１ｃ  基板部
７１ｄ  側板部
７１ｅ  折曲部
７１ｆ  ヒンジ部
７１ｇ  取付片
７２  係止組部
【図１】
0005207205.tif 000002
【図２】
0005207205.tif 000003
【図３】
0005207205.tif 000004
【図４】
0005207205.tif 000005
【図５】
0005207205.tif 000006
【図６】
0005207205.tif 000007
【図７】
0005207205.tif 000008
【図８】
0005207205.tif 000009
【図９】
0005207205.tif 000010
【図１０】
0005207205.tif 000011